(57)【要約】      （修正有）【課題】原稿カバーを機台上面の左右方向に延びた第１軸芯と機台上面の前後方向に延びた第２軸芯とのいずれか一方の周りで選択的に回動可能に支持する複写機用の原稿カバー支持機構において、横置きのままで使用する複写機に適用可能な原稿カバー支持機構、および、重量の大きな原稿カバーに適用することができ、さらに、原稿カバーを任意の角度で静止させるフリーストップヒンジを設けることの可能な原稿カバー支持機構を提供する。【解決手段】機台上面２に第１軸芯Ｘ１及び第２軸芯Ｘ２の一方の周りで回動自在な中間枠部材６が支持されており、原稿カバー４が中間枠部材６に対して第１軸芯Ｘ１及び第２軸芯Ｘ２の他方の周りで回動自在に支持されている構成とした。【選択図】図３
2005215433.tif 000002
【特許請求の範囲】
【請求項１】
原稿カバーを機台上面の左右方向に延びた第１軸芯と前記機台上面の前後方向に延びた第２軸芯とのいずれか一方の周りで選択的に回動可能に支持する複写機用の原稿カバー支持機構であって、
前記機台上面に前記第１軸芯及び前記第２軸芯の一方の周りで回動自在な中間枠部材が支持されており、前記原稿カバーが前記中間枠部材に対して前記第１軸芯及び前記第２軸芯の他方の周りで回動自在に支持されている原稿カバー支持機構。
【請求項２】
前記中間枠部材が前記機台上面に重ね合わされた状態において、前記中間枠部材の上面が前記機台上面のコンタクトガラス面と同一高さ或いは前記コンタクトガラス面よりも下方に位置する請求項１に記載の原稿カバー支持機構。
【請求項３】
前記中間枠部材が前記機台上面に前記第１軸芯または第２軸芯のいずれか長い方の軸芯周りで回動可能に支持され、前記原稿カバーが前記中間枠部材に対して前記第１軸芯または第２軸芯のいずれか短い方の軸芯周りで回動可能に支持されている請求項１または２に記載の原稿カバー支持機構。
【請求項４】
前記原稿カバーの左右いずれかの端部付近に、原稿をコンタクトガラス上に連続的に搬送供給する自動原稿送り装置が搭載されており、前記第２軸芯は前記自動原稿送り装置が搭載されている側に配置されている請求項３に記載の原稿カバー支持機構。
【請求項５】
前記原稿カバーの開放側への回動操作に際して前記中間枠部材の開放側への回動を阻止する回動阻止機構が設けられている請求項１から４のいずれか一項に記載の原稿カバー支持機構。
【発明の詳細な説明】
【技術分野】
【０００１】
本発明は複写機用の原稿カバー支持機構に関し、より具体的には、原稿カバーを機台上面の左右方向に延びた第１軸芯と前記機台上面の前後方向に延びた第２軸芯とのいずれか一方の周りで選択的に回動可能に支持する複写機用の原稿カバー支持機構に関する。
【背景技術】
【０００２】
上記の原稿カバー支持機構の例としては、本発明に関連する先行技術文献情報として下記に示した特許文献１がある。
この特許文献１に記された発明では、原稿カバーはＸ方向の軸線に沿ってこれを開閉可能にする第１ヒンジ部とＸ方向と直交するＹ方向の軸線に沿ってこれを開閉可能にする第２ヒンジ部によって、装置本体（機台上面）に対し開閉可能にされている。第１ヒンジ部は、原稿カバーに固定された第１係合ブロックと装置本体の凹部内に揺動可能に装着された移動係合体とを含み、他方、第２ヒンジ部は、原稿カバーに固定された第２係合ブロックと装置本体の凹部内に装着された揺動係合体とを含む。各係合ブロックからは軸が突出形成されている。尚、この複写機は原稿載置面が水平となる横置きの他に原稿載置面が鉛直となる縦置きにも設置可能であることを前提として構成されている。そして、装置本体が横置きにされた時には、第２ヒンジ部の揺動係合体が第２係合ブロックに係合する一方で、第１ヒンジ部の移動係合体が第１係合ブロックに対しフリーになり、この結果、原稿カバーは第２ヒンジ部を軸芯として開閉可能となる。他方、装置本体が縦置きにされた時には、第１ヒンジ部の移動係合体が第１係合ブロックに係合する一方で、第２ヒンジ部の揺動係合体が第２係合ブロックに対しフリーになり、この結果、原稿カバーは第１ヒンジ部を軸芯として開閉可能となる。
【特許文献１】特開２００１−２５１４６１号公報（段落番号００１７、００２８、図２、図３、図５）
【発明の開示】
【発明が解決しようとする課題】
【０００３】
しかし、特許文献１の原稿カバー支持機構では、原稿カバーを第１ヒンジ部で回動させるためには、装置本体言い換えれば複写機全体を原稿載置面が垂直となる縦置きにする必要があるため、この特許文献１の原稿カバー支持機構を、装置本体を常に横置きのままで使用する一般の複写機に適用することは困難であった。また、特許文献１の原稿カバー支持機構は、原稿カバーを回動可能に支持する移動係合体などの部材が、原稿カバー側の係合ブロックから延びた軸を係止するフック部を備えた薄板状の部品で構成されているだけの、機械的強度が不十分なものであるので、原稿をコンタクトガラス上に連続的に搬送供給する自動原稿送り装置（ＡＤＦ）を搭載したような重量の大きな原稿カバーに適用することは困難であり、加えて、このような重量の大きな原稿カバーを任意の角度で静止させるフリーストップヒンジを備えた原稿カバー支持機構とすることは更に困難であった。
【０００４】
したがって、本発明の目的は、原稿カバーを機台上面に回動自在に支持し、前記原稿カバーは前記機台上面の左右方向に延びた第１軸芯と前記機台上面の前後方向に延びた第２軸芯とのいずれか一方の周りで選択的に回動可能に構成されており、しかも、常に横置きのままで使用する一般の複写機に適用することの可能な原稿カバー支持機構を提供することにある。また、本発明の目的は、自動原稿送り装置（ＡＤＦ）を搭載した原稿カバーのような重量の大きな原稿カバーに適用することができ、さらに、このような重量の大きな原稿カバーを任意の中間開成角度で静止させるためのフリーストップヒンジを設けることの可能な原稿カバー支持機構を提供することにある。
【課題を解決するための手段】
【０００５】
本発明の第１の特徴構成は、原稿カバーを機台上面の左右方向に延びた第１軸芯と前記機台上面の前後方向に延びた第２軸芯とのいずれか一方の周りで選択的に回動可能に支持する複写機用の原稿カバー支持機構であって、
前記機台上面に前記第１軸芯及び前記第２軸芯の一方の周りで回動自在な中間枠部材が支持されており、前記原稿カバーが前記中間枠部材に対して前記第１軸芯及び前記第２軸芯の他方の周りで回動自在に支持されている点にある。
【０００６】
このような特徴構成を備えているために、本発明による原稿カバー支持機構では、例えば、中間枠部材が第１軸芯周りで回動自在に支持されている場合、原稿カバーを中間枠部材に対して閉鎖したまま両部材を機台上面に対して第１軸芯周りで回動操作することで、結果的に原稿カバーを機台上面に対して第１軸芯周りで回動操作することが可能となるし、他方、中間枠部材を機台上面に対して閉鎖したまま原稿カバーを中間枠部材に対して第２軸芯周りで回動操作することで、結果的に原稿カバーを機台上面に対して第２軸芯周りで回動操作することも可能となる。したがって、原稿カバーが機台上面の左右方向に延びた第１軸芯と機台上面の前後方向に延びた第２軸芯とのいずれか一方の周りで選択的に回動可能な原稿カバー支持機構であって、しかも、常に横置きのままで使用する複写機にも適用可能な原稿カバー支持機構が提供された。さらに、本発明による原稿カバー支持機構では、機台上面と中間枠部材との間、及び、中間枠部材と原稿カバーとの間に、機械的強度の高いヒンジ連結部材を取り付けることができるので、自動原稿送り装置（ＡＤＦ）を搭載した原稿カバーのような重量の大きな原稿カバーにも適用することができ、さらに、このような重量の大きな原稿カバーを任意の角度で静止させるフリーストップヒンジを設けた原稿カバー支持機構とすることも可能となり、非常に使い易い複写機用の原稿カバー支持機構が得られる。尚、中間枠部材は当然ながら機台上面に対して閉鎖されている時にコンタクトガラスの面を遮蔽しない、例えば窓枠状の形態を有する。
【０００７】
さらに、前記中間枠部材が前記機台上面に重ね合わされた状態において、前記中間枠部材の上面が前記機台上面のコンタクトガラス面と同一高さ或いは前記コンタクトガラス面よりも下方に位置する構成とすることができる。
このように構成すれば、中間枠部材が機台上面に重ね合わせられた状態で原稿カバーを開閉することで原稿のコピーを作成する場合、コンタクトガラス面が中間枠部材の上面よりも突出しているか、或いは、これら両者の面の高さが一致しているので、コンタクトガラス面のサイズを上回る大きさの原稿を複写する場合でも、原稿カバーの閉鎖によって原稿が中間枠部材とコンタクトガラス面との間の上下の段差によって折れて、損傷する虞がない。
【０００８】
特に、前記中間枠部材が前記機台上面に前記第１軸芯または第２軸芯のいずれか長い方の軸芯周りで回動可能に支持され、前記原稿カバーが前記中間枠部材に対して前記第１軸芯または第２軸芯のいずれか短い方の軸芯周りで回動可能に支持されている構成とすることができる。
このように構成すれば、機台上面の横手（一般に左側）に跳ね上げられた原稿カバーから最も遠いコンタクトガラスの縁部までの距離をより大きく取ることができるので、大きなサイズの原稿の中心部付近が含まれる領域を、原稿の縁を折り込むことなく、すなわち、原稿の縁を原稿カバーの連結ヒンジに近く設けられた見当に押し当てた状態で複写することが可能となる。
また、このように構成すれば、中間枠部材を前記機台上面に重ね合わせた状態で複写作業を行おうとする際には、機台上面の横手（一般に左側）に原稿カバーが跳ね上げられた状態となるので、コンタクトガラスの前後と左右の一方側（一般に右側）には何も部材が突出していない、すなわち、コンタクトガラスから前後方向にはみ出るサイズの原稿を載置し易い状態が現出される。しかも、コンタクトガラスの前後に（すなわち、第２軸芯と平行に）延びた突起状の見当に原稿の縁を合わせて複写することになるので、コンタクトガラス面のサイズを上回る大きさの原稿を複写する際にも、見当の前後の中心などに位置するセンターマークを基準にすることで、複写しようとする範囲を決定し易い。
【０００９】
また、前記原稿カバーの左右いずれかの端部付近に、原稿をコンタクトガラス上に連続的に搬送供給する自動原稿送り装置が搭載されており、前記第２軸芯は前記自動原稿送り装置が搭載されている側に配置されている構成とすることができる。
このように構成すれば、比較的重量の大きな自動原稿送り装置が第２軸芯側に位置するので、使用者は比較的容易に原稿カバーを第２軸芯周りで開放操作できる。
【００１０】
さらに、前記原稿カバーのみの前記機台上面に対する開放側への回動操作に際して前記中間枠部材の開放側への回動を阻止し、前記中間枠部材の前記機台上面に対する開放側への回動操作に際して前記原稿カバーの前記中間枠部材に対する開放側への回動操作を阻止する回動阻止機構が設けられている構成とすることができる。
このように構成すれば、原稿カバーを開放したい時には、回動阻止機構の働きによって、中間枠部材の開放側への回動が阻止されるので、原稿カバーのみが回動されて開放され、中間枠部材を原稿カバーと一体的に機台上面から開放したい時には、回動阻止機構の働きによって、原稿カバーの中間枠部材に対する開放側への回動操作が阻止されるので、中間枠部材は原稿カバーに対して回動することなく飽くまでも原稿カバーと一体的に機台上面から開放される。
【００１１】
本発明によるその他の特徴および利点は、以下図面を用いた実施形態の説明により明らかになるであろう。
【発明を実施するための最良の形態】
【００１２】
本発明による原稿カバー支持機構について図面を参照しながら説明する。
図１は、本発明による原稿カバー支持機構を備えた複写機１の上部を示し、ここでは原稿カバー４が閉じられている。原稿カバー４の上部の左半分には、スタックされた多数のシート状の原稿から原稿を一枚ずつコンタクトガラス３上に連続的に給紙搬送する自動原稿送り装置（ＡＤＦ）５が搭載されている。
当該複写機１の原稿カバー４は、複写機１の機台上面２の左右方向に延びた第１軸芯Ｘ１周りと、機台上面２の前後方向に延びた第２軸芯Ｘ２周りとの２つの軸芯周りで回動自在に支持されている。そのために、複写機１の前に立った使用者から見て原稿カバー４の手前側端部で左右に延びた辺の中央部付近には、原稿カバー４を第１軸芯Ｘ１周りで回動操作する際に使用者が掴む（或いは手を掛ける）ための第１取っ手４ａが設けられている。他方、原稿カバー４の右側端部で前後に延びた辺の中央部付近には、原稿カバー４を第２軸芯Ｘ２周りで回動操作する際に使用者が掴む（或いは手を掛ける）ための第２取っ手４ｂが設けられている。
【００１３】
図２に示されるように、本発明による原稿カバー支持機構は、機台上面２と原稿カバー４との間に設けられた中間枠部材６を含む。尚、コンタクトガラス３は全面にわたって機台上面２の樹脂製のパネル２ａから数ｍｍの高さで上方に突出するように支持されており、中間枠部材６は、コンタクトガラス３のこの突出部を四周から包囲可能な矩形の開口部６ａを備えた板枠状の部材であり、機台上面２に対して一対の第１ヒンジ連結部８，８を介して機台上面２の左右方向に延びた第１軸芯Ｘ１周りで回動自在に支持されている。第１軸芯Ｘ１は使用者から見て機台上面２の奥側端部付近に位置する。
そして、原稿カバー４は、機台上面２に対して閉じられた中間枠部材６に対して一対の第２ヒンジ連結部９，９を介して機台上面２の前後方向に延びた第２軸芯Ｘ２周りで回動自在に支持されている。第２軸芯Ｘ２は使用者から見て機台上面２の左端付近に位置する。
【００１４】
原稿カバー４を開放すると、複写機１の機台上面２には原稿を載置するためのコンタクトガラス３が露出し、コンタクトガラス３面に原稿を載置可能になる。コンタクトガラス３の下方には原稿を読み取るスキャナー（不図示）が配置されている。原稿カバー４は原稿をコンタクトガラス３の面に密着させ、同時に、スキャナーから発される光を反射する役目を果たす。
尚、図２は、本発明による原稿カバー支持機構の構造を理解し易く解説するために、便宜的に中間枠部材６を機台上面２から開き、同時に、原稿カバー４を中間枠部材６から開いた状態を示した図である。実際には、後述するように、原則的に、原稿カバー４を第１軸芯Ｘ１周りで開く時には原稿カバー４は中間枠部材６と一体的にしか開かれず、原稿カバー４を第２軸芯Ｘ２周りで開く時には中間枠部材６は機台上面２に対して閉じられた状態に保持されている。
中間枠部材６はコンタクトガラス３の突出量と等しいか又はこれを下回る寸法の厚さを備えており、中間枠部材６が機台上面２に重ね合わされた状態（閉鎖状態）において、中間枠部材６の上面がコンタクトガラス３の上面と同一の高さに位置するように設定されている。
【００１５】
原稿カバー４と中間枠部材６との間には、両部材どうしを互いに閉じられた状態に保持するための第１吸着機構１１（回動阻止機構の一例）が設けられている。第１吸着機構１１は、原稿カバー４の裏面の手前側右端付近に配置されたマグネット１１ａと、中間枠部材６の上面の対応箇所に配置された磁性金属片１１ｂとからなる。同様に、中間枠部材６と機台上面２との間には、中間枠部材６を機台上面２に対して閉じられた状態に保持するための第２吸着機構１２（回動阻止機構の一例）が設けられている。第２吸着機構１２は、機台上面２の手前側左端付近に配置されたマグネット１２ａと、中間枠部材６の下面の対応箇所に配置された磁性金属片１２ｂとからなる。
【００１６】
したがって、原稿カバー４と中間枠部材６との双方が機台上面２に対して閉じられた図１の初期状態から、使用者が第１取っ手４ａによって第２吸着機構１２の吸着力に抗して原稿カバー４を持ち上げると、図３に示すように、原稿カバー４は第１吸着機構１１によって中間枠部材６と一体となった状態で第１軸芯Ｘ１周りで機台上面２に対して回動してコンタクトガラス３が露出し、コンタクトガラス３面に原稿を載置可能になる。この状態で、例えば原稿Ｓ１をコンタクトガラス３に載置し、次に、原稿カバー４を閉じると中間枠部材６も一体的に下がって、複写操作が可能となる。この使用法は、原稿カバー４の横長な形状のために、原稿カバー４を最大角度まで持ち上げても第１取っ手４ａの高さは比較的低く、原稿カバー４の開け閉めが容易な点で、コンタクトガラス３の面内に納まるサイズの原稿を一枚ずつ手動で複写する際には、第２取っ手４ｂによって原稿カバー４を持ち上げる使用法よりも有利である。但し、この使用法では、中間枠部材６の下面がコンタクトガラス３の上面と交差するように下がってくるので、基本的にコンタクトガラス３の面内に納まるサイズの原稿のみが複写可能であり、仮にコンタクトガラス３の面内から一部がはみ出るように原稿を置いて原稿カバー４を閉じると前記一部の箇所から原稿が折れ曲がることが予測される。
【００１７】
次に、前記初期状態から、使用者が第２取っ手４ｂによって第１吸着機構１１の吸着力に抗して原稿カバー４を持ち上げると、図４に示すように、中間枠部材６は第２吸着機構１２によって機台上面２に閉じられたままの状態で、原稿カバー４のみが第２軸芯Ｘ２周りで機台上面２に対して回動してコンタクトガラス３が露出し、コンタクトガラス３面に原稿を載置可能になる。この状態で、例えば原稿Ｓ２をコンタクトガラス３に載置し、原稿カバー４を閉じると複写操作が可能となる。この使用法では、原稿カバー４の横長な形状のために、原稿カバー４を最大角度まで持ち上げると第１取っ手４ａの高さが比較的高く、原稿カバー４の開け閉めに要する労力が若干大きい点で不利であるが、他方、中間枠部材６は既に機台上面２に閉じられており、しかも、既に記したように、中間枠部材６の上面がコンタクトガラス３の上面と同一の高さに位置するので、コンタクトガラス３の面内から前後方向、或いは、右方向に一部がはみ出るように原稿Ｓ２を置いて原稿カバー４を閉じても、原稿がコンタクトガラス３によって折れ曲がったり、損傷する虞がない。
【００１８】
特に、この使用法では、原稿カバー４を開放している時に、コンタクトガラス３の前後方向と右側方向にはコンタクトガラス３よりもレベルの低い平滑なパネル２ａが存在するのみで、上方に突出した部材が一切存在しないので、図４に例示するように、原稿がパネル２ａの領域を大きく超えて前後或いは右側に延びるような原稿の置き方が可能であるという点で非常に有利である。また、この使用法では、一般に見られるようにコンタクトガラス３を左右の長さが前後の長さを大きく超えるように構成してある場合、機台上面２の左側に跳ね上げられた原稿カバー４から最も遠いコンタクトガラス３の縁部までの距離が大きくなるので、大きなサイズの原稿の中心部付近が含まれる領域を、原稿の縁を折り込むことなく、すなわち、原稿の縁を原稿カバーの第２ヒンジ連結部９，９に近い側のコンタクトガラス３の縁部に合わせた状態（通常は後述する見当１４ｂに原稿の縁を押し当てた状態）で複写することが可能となる。
また、第２軸芯Ｘ２は、比較的に重量の大きな自動原稿送り装置（ＡＤＦ）５が搭載されている側と同じ左側の端部に設けられているので、第２軸芯Ｘ２周りでの原稿カバー４の開放操作が比較的容易に行える。
【００１９】
尚、コンタクトガラス３の左端付近には、自動原稿送り装置（ＡＤＦ）５によってコンタクトガラス３上に供給される原稿の先端を掬い上げることで、原稿のコンタクトガラス３に対する位置決めを円滑化するための掬い上げ部材１４が前後方向に延びている。図５と図６に示すように、掬い上げ部材１４は右上に向かって傾斜した掬い上げ面１４ａを有する。そして、掬い上げ面１４ａの右端は、コンタクトガラス３から僅かに上方に突出しており、この突出部は手動で原稿の右端を複写範囲に合わせるための見当１４ｂを構成している。見当１４ｂの前後の中心には複写範囲を決定する際の基準となるセンターマーク１４ｃが記されている。したがって、上述したように、コンタクトガラス３面のサイズを前後方向や右方にはみ出る大きさの原稿を複写する際にも、原稿の右端を見当１４ｂに当て付けつつ、センターマーク１４ｃを基準に原稿の載置位置を前後に調節できるので、複写する範囲を正確に決定し易い。
【００２０】
第１ヒンジ連結部８，８は、中間枠部材６と一体化した原稿カバー４をコンタクトガラス３から引き上げた際、中間枠部材６を任意の中間開成角度で安定的に停止保持するためのフリーストップ機構を備えている。図５及び図７に示すように、第１ヒンジ連結部８，８は、機台上面２に取り付けられた固定ヒンジ体２１と、中間枠部材６の下面に取り付けられた可動ヒンジ体２４とからなる。図７に示すように、可動ヒンジ体２４は固定ヒンジ体２１に対して軸芯Ｘ１周りで回動自在に支持されており、可動ヒンジ体２４からは湾曲したカム面を備えたカム板２４ａが下方に延びている。固定ヒンジ体２１は底部２１ａを備えた筐体状のスプリングケースを構成しており、このスプリングケース内にスライダー２２が摺動自在に挿入されており、このスライダー２２と底部２１ａの間に圧縮コイルばね２３が介装されている。スライダー２２は圧縮コイルばね２３の付勢力によって常にカム板２４ａに押付けられている。図７（イ）は中間枠部材６が機台上面２に対して最も上方まで開放された状態を示し、図７（ロ）は中間枠部材６が機台上面２に対して閉じられた状態を示している。尚、図７では原稿カバー４は省略されている。原稿カバー４と中間枠部材６は、カム板２４ａと付勢されたスライダー２２との協働作用によって、図７（イ）と図７（ロ）の両状態も含めて、図７（イ）と図７（ロ）の間の任意の中間開成角度で安定的に停止保持される。尚、図５に示すように、固定ヒンジ体２１は機台上面２のパネル２ａから僅かに突出するだけで、固定ヒンジ体２１の上面はコンタクトガラス３よりも低い位置となるように構成されているので、固定ヒンジ体２１はコンタクトガラス３に載置された原稿と干渉し難い。
【００２１】
第２ヒンジ連結部９，９もまた、原稿カバー４を任意の中間開成角度で安定的に停止保持するためのフリーストップ機構を備えている。図８に示すように、第２ヒンジ連結部９は、中間枠部材６の上面に取り付けられた固定ヒンジ体３１と、原稿カバー４の下面に取り付けられた可動ヒンジ体３２とからなる。可動ヒンジ体３２は固定ヒンジ体３１に対して軸芯Ｘ２周りで回動自在に支持されており、固定ヒンジ体３１からは湾曲したカム面を備えたカム板３１ａが上方に延びている。可動ヒンジ体３２は、上底部３２ａを備えた筐体状のスプリングケースを構成しており、このスプリングケース内にスライダー３３が摺動自在に挿入されており、このスライダー３３と上底部３２ａの間に圧縮コイルばね３４が介装されている。スライダー３３は圧縮コイルばね３４の付勢力によって常にカム板３１ａに押付けられている。図８（イ）は原稿カバー４が機台上面２上の中間枠部材６に対して最も上方まで開放された状態を示し、図８（ロ）は原稿カバー４が機台上面２上の中間枠部材６に対して閉じられた状態を示している。原稿カバー４と中間枠部材６は、カム板２４ａと付勢されたスライダー２２との協働作用によって、図８（イ）と図８（ロ）の両状態も含めて、図８（イ）と図８（ロ）の間の任意の中間開成角度で安定的に停止保持される。
【００２２】
〔別実施形態〕
＜１＞中間枠部材６の上面がコンタクトガラス３の上面と同一ではなく、コンタクトガラス３の上面よりも僅かに下方に位置するように構成することも可能である。
【００２３】
＜２＞マグネット１１ａ，１１ｂを吸着作用を入り切り操作可能な電磁石とし、且つ、使用者が第１取っ手４ａを介して原稿カバー４を持ち上げようとする操作力によって、第２吸着機構１２のマグネット１２ａの吸着力を自動的に切り操作するスイッチ部材を第１取っ手４ａの裏面に設け、同様に、使用者が第２取っ手４ｂを介して原稿カバー４を持ち上げようとする操作力によって、第１吸着機構１１のマグネット１１ａの吸着力を自動的に切り操作するスイッチ部材を第２取っ手４ｂの裏面に設けても良い。このような構成にすれば、原稿カバー４または原稿カバー４と中間枠部材６を持ち上げる際の操作力がより小さくて済む。
【００２４】
＜３＞回動阻止機構としては前述の形態よりも機械的な構造のものでも良い。例えば、中間枠部材６の一部に水平に延びた被係止ピンを設け、前記被係止ピンを係止するロック姿勢と係止解除されたロック解除姿勢との間で切り換え自在なフック部材を原稿カバー４の下面と機台上面２とに夫々設け、使用者が第１取っ手４ａを介して原稿カバー４を持ち上げようとする操作力によって、原稿カバー４のフック部材をロック姿勢に、機台上面２のフック部材をロック解除姿勢に操作するスイッチ部材を第１取っ手４ａの裏面に設け、同様に、使用者が第２取っ手４ｂを介して原稿カバー４を持ち上げようとする操作力によって、機台上面２のフック部材をロック姿勢に、原稿カバー４のフック部材をロック解除姿勢に操作するスイッチ部材を第２取っ手４２の裏面に設ければ良い。
【００２５】
＜４＞前述した実施形態では、中間枠部材６が機台上面２に第１軸芯Ｘ１周りで回動可能に支持され、原稿カバー４が中間枠部材６に対して第２軸芯Ｘ２周りで回動可能に支持されている例について記載したが。この構成とは逆に、図９と図１０に示すように、原稿カバー４が中間枠部材６に対して第１軸芯Ｘ１周りで回動可能に支持され、中間枠部材６が機台上面２に第２軸芯Ｘ２周りで回動可能に支持されている構成とすることも可能である。
この例では、原稿カバー４と中間枠部材６との双方が機台上面２に対して閉じられた初期状態から、使用者が第１取っ手４ａによって原稿カバー４を持ち上げると、中間枠部材６は回動阻止機構によって機台上面２に閉鎖されたまま、原稿カバー４のみが第１軸芯Ｘ１周りで機台上面２に対して回動してコンタクトガラス３が露出し、コンタクトガラス３面に原稿を載置可能になる。他方、前記初期状態から、使用者が第２取っ手４ｂによって原稿カバー４を持ち上げると、原稿カバー４は回動阻止機構によって中間枠部材６と一体となった状態で、第２軸芯Ｘ２周りで機台上面２に対して回動してコンタクトガラス３が露出し、コンタクトガラス３面に原稿を載置可能になる。
【図面の簡単な説明】
【００２６】
【図１】原稿カバーを閉じた状態における複写機の上部を示す斜視図
【図２】中間枠部材を機台上面から開き同時に原稿カバーを中間枠部材から開いた状態を便宜的に示す斜視図
【図３】原稿カバーと中間枠部材を第１軸芯周りで機台上面から開いた状態を示す斜視図
【図４】原稿カバーのみを第２軸芯周りで機台上面から開いた状態を示す斜視図
【図５】掬い上げ部材の付近を示す斜視図
【図６】掬い上げ部材の付近を示す一部破断正面図
【図７】第１ヒンジ連結部の構造を示す一部破断側面図
【図８】第２ヒンジ連結部の構造を示す一部破断背面図
【図９】別実施形態による原稿カバーのみを第１軸芯周りで機台上面から開いた状態を示す斜視図
【図１０】原稿カバーと中間枠部材を第２軸芯周りで機台上面から開いた状態を示す斜視図
【符号の説明】
【００２７】
１  複写機
２  機台上面
２ａ  パネル
３  コンタクトガラス
４  原稿カバー
４ａ  第１取っ手
４ｂ  第２取っ手
５  自動原稿送り装置（ＡＤＦ）
６  中間枠部材
Ｘ１  第１軸芯
Ｘ２  第２軸芯
１１  第１吸着機構（回動阻止機構）
１２  第２吸着機構（回動阻止機構）
【図１】
2005215433.tif 000003
【図２】
2005215433.tif 000004
【図３】
2005215433.tif 000005
【図４】
2005215433.tif 000006
【図５】
2005215433.tif 000007
【図６】
2005215433.tif 000008
【図７】
2005215433.tif 000009
【図８】
2005215433.tif 000010
【図９】
2005215433.tif 000011
【図１０】
2005215433.tif 000012